(57)【要約】【課題】じゃばら状に伸縮する筒状織物を提供する。【解決手段】本発明の織物は、三層の経糸２１１、２２１、２３１によって上層２１０、中層２２０、下層２３０があり、上層２１０、中層２２０、下層２３０の経糸２１１、２２１、２３１に緯糸２１２、２２２、２３２を織り込み、このとき、上層２１０と下層２３０とを袋織りにして外筒を形成し、この外筒の内側に中層２２０を形成し、中層２２０には、長さ方向に所定のピッチで伸縮性の糸２２３が織り込まれ、所定のピッチのじゃばらになる【選択図】図５
2018204135.tif 000002
【特許請求の範囲】
【請求項１】
三層の経糸２１１、２２１、２３１によって上層２１０、中層２２０、下層２３０があり、
前記上層２１０、前記中層２２０、前記下層２３０の前記経糸２１１、２２１、２３１に緯糸２１２、２２２、２３２を織り込み、
このとき、前記上層２１０と前記下層２３０とを袋織りにして外筒を形成し、この外筒の内側に中層２２０を形成し、
前記中層２２０には、長さ方向に所定のピッチで伸縮性の糸２２３が織り込まれ、
前記所定のピッチのじゃばらになる
ことを特徴とする織物。
【請求項２】
請求項１に記載の織物において、
前記上層２１０と前記下層２３０は、平袋織りであり、
前記中層２２０は、綾織りである
ことを特徴とする織物。
【請求項３】
請求項１または請求項２に記載の織物において、
前記中層２２０の経糸２２１は、前記上層２１０と前記下層２３０の経糸２１１、２３１よりも引張強度が大きい
ことを特徴とする織物。
【請求項４】
請求項１から請求項３のいずれかに記載の織物において、
前記伸縮性の糸２２３が前記中層２２０と交差するときに、緯糸に対して一回以上絡んでいる
ことを特徴とする織物。
【請求項５】
請求項１から請求項４のいずれかに記載の織物において、
前記伸縮性の糸が前記中層を間にして前記上層および前記下層に織り込まれており、
一部がベルト状になっている
ことを特徴とする織物。
【発明の詳細な説明】
【技術分野】
【０００１】
本発明は、じゃばら状に伸縮する筒状織物に関する。
【背景技術】
【０００２】
まず、図１、図２に従来のランヤード１０を示す。
ランヤード１０は、両端に設けられた固定具１１、１１と、命綱ベルト１２と、衝撃吸収部１５と、を備える。衝撃吸収部１５は、例えば図２に例示するように通常は折り畳まれた状態に縫製されており、所定値以上の急激な引張力が掛かったときに縫製の糸が切れて伸びるとともに、糸が切れるときに衝撃（エネルギー）を吸収する。
【０００３】
命綱ベルト１２の部分は、織物で織られた命綱チューブ１３と、命綱チューブ１３の内側に挿入されたゴム芯（不図示）と、を有する。命綱ベルト１２の部分は、ただの紐であってもよいのであるが、例えば、１．５ｍから２ｍの紐が作業者の腰や足元で垂れ下がってぶらぶら揺れていると作業の邪魔である。そこで、命綱ベルト１２をチューブ状にするとともに中にゴムの芯を入れて、作業者の動きに応じて命綱ベルト１２が伸縮するようになっている。
【発明の概要】
【発明が解決しようとする課題】
【０００４】
長いチューブ状の織物にゴム芯を挿入するという作業を一つ一つ手作業で行うのはかなりの手間であった。
ランヤードを工事現場等で使用していると、命綱チューブが摩耗したり、日光の照射による劣化を受けたりして、命綱としての耐久性は使用環境によってはかなり短いものとなっていた。
また、命綱チューブにゴム芯を入れたときに、命綱チューブをうまく蛇腹状に縮ませる（変形させる）必要があるが、いつも意図した通りのじゃばらになってくれるとは限らないという問題があった。
【課題を解決するための手段】
【０００５】
本発明の織物は、
三層の経糸２１１、２２１、２３１によって上層２１０、中層２２０、下層２３０があり、
前記上層２１０、前記中層２２０、前記下層２３０の前記経糸２１１、２２１、２３１に緯糸２１２、２２２、２３２を織り込み、
このとき、前記上層２１０と前記下層２３０とを袋織りにして外筒を形成し、この外筒の内側に中層２２０を形成し、
前記中層２２０には、長さ方向に所定のピッチで伸縮性の糸２２３が織り込まれ、
前記所定のピッチのじゃばらになる
ことを特徴とする。
【０００６】
本発明では、
前記上層２１０と前記下層２３０は、平袋織りであり、
前記中層２２０は、綾織りである
ことが好ましい。
【０００７】
本発明では、
前記中層２２０の経糸２２１は、前記上層２１０と前記下層２３０の経糸２１１、２３１よりも引張強度が大きい
ことが好ましい。
【０００８】
本発明では、
前記伸縮性の糸２２３が前記中層２２０と交差するときに、緯糸に対して一回以上絡んでいる
ことが好ましい。
【０００９】
本発明では、
前記伸縮性の糸が前記中層を間にして前記上層および前記下層に織り込まれており、
一部がベルト状になっている
ことが好ましい。
【図面の簡単な説明】
【００１０】
【図１】従来のランヤードを示す図である。
【図２】従来のランヤードを示す図である。
【図３】第１実施例の外観を示す図である。
【図４】図３中のＩＶ−ＩＶ線断面図である。
【図５】図４中のＶ−Ｖ線断面図である。
【図６】織機でこの織物を織っている最中のゴム糸の様子を例示する図である。
【図７】ベルト部の断面図である。
【図８】ベルト部の断面図である。
【図９】第２実施例を示す図である。
【発明を実施するための形態】
【００１１】
（第１実施例）
本発明の実施形態を図示するとともに図中の各要素に付した符号を参照して説明する。
図３は、本発明に係る織物の第１実施例を示す図である。
織物１００は、その外観をみれば、長いロープ、あるいは、長いベルトであって、両端を除いて全体的にじゃばら状になっている。
いま、じゃばら状の部分をじゃばら部２００と称し、じゃばらになっていない両端部分をベルト部３００と称することにする。
【００１２】
まず、じゃばら部２００の織り組織構造を説明する。
図４は、長さ方向に対して垂直な方向でじゃばら部を切断したときの断面図である（ＩＶ−ＩＶ線断面図）。また、図５は、長さ方向に沿う方向でじゃばら部を切断したときの断面図である（Ｖ−Ｖ線断面図）。
【００１３】
織物１００は、三層になっており、すなわち、経糸が三層になっている。
図４おいて上から上層２１０、中層２２０、下層２３０、とする。
上層２１０、中層２２０、下層２３０の経糸２１１、２２１、２３１に緯糸２１２、２２２、２３２が織り込まれていくが、このとき、袋織りを応用して、緯糸２１２、２２２、２３２は上層２１０、中層２２０、下層２３０の経糸２１１、２２１、２３１に織り込まれ、結果として、上層２１０と下層２３０とからなる袋のなかにもう一層（中層２２０）形成される。
【００１４】
ここで、上層２１０、中層２２０、下層２３０の経糸２１１、２２１、２３１をすべて同じ物性の糸とし、さらに、上層２１０、中層２２０、下層２０３の経糸２１１、２２１、２３１に対する緯糸２１２、２２２、２３２の織り組織をすべて同じにしてもよい。
上層２１０、中層２２０、下層２３０がすべて同じであったとしても、外袋（上層２１０、下層２３０）で中層２２０は保護される。したがって、織物１００をランヤードに使用した場合、ランヤードの劣化が防がれる。
【００１５】
または、外袋になる上層２１０と下層２３０の経糸２１１、２３１を比較的弱い糸（例えば耐張力が小さい糸）にし、中層２２０の経糸２２１は比較的強い糸（例えば耐張力が大きい糸）にしてもよい。この場合、外袋になる上層２１０と下層２３０が保護カバーとなり、中層２２０が最終的な命綱の役割を担う。
このように、外袋になる上層２１０、下層２３０の経糸２１１、２３１と中層２２０の経糸２２１とで性質を異ならせることで、一の織物１００に複数の機能を持たせることができる。
【００１６】
または、上層２１０、中層２２０、下層２３０の織り組織が異なっていてもよい。
例えば、上層２１０および下層２３０は平織りとし、中層２２０は綾織りとしてもよい。
この場合、綾織りの中層２２０の方が経糸２２１と緯糸２２２とのからみ（交差）が少なくなり、縦糸２２１の本数を多くして、耐張力を強くすることができるようになる。
【００１７】
さて、図４、図５に表れるように、中層２２０には、長さ方向に所定のピッチで伸縮性の糸（ゴム糸２２３）が織り込まれている。
このとき、じゃばらのピッチを大きくしたいのであれば、ゴム糸２２３の織り込みピッチをそれにあわせて大きくしておく。
ゴム糸２２３の織り込みピッチは特段限定されないが、１０〜３０本の緯糸２２２を飛ばすとよい。
【００１８】
織機でこの織物１００を織っている最中は、図６のように、ゴム糸２２３は引き伸ばされた状態で中層２２０に織り込まれる。そして、織機のテンションを外すと、図５のように、ゴム糸２２３が縮み、じゃばらができる。
ゴム糸２２３が中層２２０に織り込まれて交差しているところではゴム糸は固定されるわけであるから、交差点２２４と交差点２２４との間でゴム糸２２３が縮む。したがって、図６が変形して図５のようなじゃばらが形成されることになる。
【００１９】
次に、ベルト部３００を説明する。
図７は、長さ方向に対して垂直な方向でベルト部３００を切断したときの断面図である。
また、図８は、長さ方向に沿う方向でベルト部３００を切断したときの断面図である。
図７、図８に示されるように、ベルト部３００においては、ゴム糸２２３が中層２２０に織り込まれずに、経糸に平行に配置されている。
また、中層２２０を間に挟んで上層２１０と下層２３０とが綴じ糸３０１で綴じられ、三層が一体になったベルトになっている。
【００２０】
綴じ糸３０１は、じゃばら部２００では、上層２１０、下層２３０にところどころ織り込まれているが、当然、上層２１０と下層２３０とを跨いだりはしない（図５、図６において途中から綴じ糸３０１を省略した）。
【００２１】
綴じ糸３０１は、じゃばら部２００において上層２１０、下層２３０にところどころ織り込まれてもよいし（図５、図６）、あるいは、経糸２１１、２３１と平行に配置されているだけにして緯糸２１２、２３２に絡まないようにしてもよい。
【００２２】
なお、綴じ糸としては、上層あるいは下層の経糸の一部を綴じ糸として利用するようにしてもよい。
また、あるいは、ゴム糸を綴じ糸として利用するようにしてもよい。
【００２３】
本実施例１によれば、手作業によらず、意図した通りのじゃばら状織物を得ることができる。また、本実施例１によれば、一の織物に複数の機能を持たせることができ、例えばランヤードに利用する場合には大きな利点となる。
【００２４】
（第２実施例）
第１実施例においては、図５、図６に示すように、ゴム糸２２３は中層２２０を上から下、あるいは、下から上に通過するように織り込まれていた。
ゴム糸２２３と中層２２０との交差点２２４での摩擦が小さいと、ゴム糸が抜けるように動いてしまって、意図した通りのピッチのじゃばらにならない可能性がある。
（ゴム糸が縮めば、織物全体としても縮むのは確かであるが、じゃばらの形がきれいにならない可能性はある。）
【００２５】
そこで、図９のように、ゴム糸２２３を中層２２０の緯糸２２２に絡ませるようにするとよい（図９中の点線囲みＡ）。
ゴム糸２２３と緯糸２２２との交差点２２４がズレなくなるので、必ず意図した通りのじゃばら状織物が得られる。
【００２６】
なお、本発明は上記実施の形態に限られたものではなく、趣旨を逸脱しない範囲で適宜変更することが可能である。
【図１】
2018204135.tif 000003
【図２】
2018204135.tif 000004
【図３】
2018204135.tif 000005
【図４】
2018204135.tif 000006
【図５】
2018204135.tif 000007
【図６】
2018204135.tif 000008
【図７】
2018204135.tif 000009
【図８】
2018204135.tif 000010
【図９】
2018204135.tif 000011